【手続補正書】
【提出日】平成28年4月7日(2016.4.7)
【手続補正１】
【補正対象書類名】特許請求の範囲
【補正対象項目名】全文
【補正方法】変更
【補正の内容】
【特許請求の範囲】
【請求項１】
遊技の結果に応じて、遊技者にとって有利な状態を発生させる遊技機であって、
遊技の進行を制御する遊技制御手段と、
演出の実行を制御する演出制御手段と、
遊技者により操作される操作手段とを備え、
前記遊技制御手段は、前記有利な状態を発生させるか否かを決定する決定手段を含み、
前記演出制御手段は、前記決定手段の決定結果を示唆する演出として、予め定められた操作受付期間において前記操作手段が操作されることで演出変化条件が成立する度に演出態様を変化させる操作演出を実行する演出実行手段を含み、
前記演出実行手段は、
前記操作演出における演出態様を複数種類の態様のうちの何れの態様まで変化させるかを決定する態様決定手段を含み、
前記操作受付期間が満了したときに、前記操作演出を終了させるとともに、前記態様決定手段により決定された態様まで変化した以後において該操作受付期間が満了する前であっても前記操作手段が操作されたことで演出終了条件が成立したときにも、前記操作演出を終了させる
ことを特徴とする遊技機。
【手続補正２】
【補正対象書類名】明細書
【補正対象項目名】０００１
【補正方法】変更
【補正の内容】
【０００１】
本発明は、スロットマシンやパチンコ遊技機等の遊技機に関し、特に予め定められた操作受付期間において遊技者により操作手段が操作されることで演出変化条件が成立する度に演出の演出態様を変化させる操作演出を実行する遊技機に関する。
【手続補正３】
【補正対象書類名】明細書
【補正対象項目名】０００５
【補正方法】変更
【補正の内容】
【０００５】
例えば、スロットマシンでは、液晶表示器などの演出手段において行う演出で、ボーナスの内部当選状況の報知（ボーナス当選を確定的に示す告知、及びボーナス当選の可能性があることを示す予告を含む）を行うものとなっている。また、パチンコ遊技機における大当たり抽選の結果は、液晶表示器などの画像表示装置において行われる特図ゲームで示されるようになっている。
【手続補正４】
【補正対象書類名】明細書
【補正対象項目名】００１０
【補正方法】変更
【補正の内容】
【００１０】
本発明は、予め定められた操作受付期間において遊技者により操作手段が操作されることで演出変化条件が成立する度に演出の演出態様を変化させる操作演出を実行する遊技機において、遊技者により操作手段が無駄に操作されることを抑止することを目的とする。
【手続補正５】
【補正対象書類名】明細書
【補正対象項目名】００１１
【補正方法】変更
【補正の内容】
【００１１】
上記目的を達成するため、本発明にかかる遊技機は、
遊技の結果に応じて、遊技者にとって有利な状態（ビッグボーナス、レギュラーボーナス）を発生させる遊技機（スロットマシン１）であって、
遊技の進行を制御する遊技制御手段（遊技制御基板１０１）と、
演出の実行を制御する演出制御手段（演出制御基板１０２）と、
遊技者により操作される操作手段（停止ボタン１２Ｌ）とを備え、
前記遊技制御手段は、前記有利な状態を発生させるか否かを決定する決定手段（ＣＰＵ１１１（内部抽選））を含み、
前記演出制御手段は、前記決定手段の決定結果を示唆する演出として、予め定められた操作受付期間（第１停止ボタンとしての左の停止ボタン１２Ｌの操作から第２停止ボタンの操作まで）において前記操作手段が操作されることで演出変化条件（停止ボタン１２Ｌを３回操作）が成立する度に演出態様（発展度）を変化させる操作演出（当選報知演出の第２段階の演出）を実行する演出実行手段（ＣＰＵ１２１）を含み、
前記演出実行手段は、
前記操作演出における演出態様を複数種類の態様のうちの何れの態様まで変化させるかを決定する態様決定手段（ＣＰＵ１２１、図６：発展度選択テーブル（ＲＯＭ１２３））を含み、
前記操作受付期間が満了したときに、前記操作演出を終了させる（当選報知演出を第２段階から第３段階に移行させる）とともに、前記態様決定手段により決定された態様まで変化した以後において該操作受付期間が満了する前であっても前記操作手段が操作されたことで演出終了条件（停止ボタン１２Ｌを３回、５回または７回操作）が成立したときにも、前記操作演出を終了させる（当選報知演出を第２段階から第３段階に移行させる）
ことを特徴とする遊技機である。
また、上記目的を達成するため、本発明にかかる遊技機は、
遊技を行う遊技機（スロットマシン１）であって、
遊技者にとって有利な特典を付与することを決定可能な決定手段（ＣＰＵ１１１（内部抽選））と、
遊技者により操作される複数の操作手段（停止ボタン１２Ｌ、１２Ｃ、１２Ｒ）と、
所定の演出（当選報知演出）を演出手段（液晶表示器４）に実行させる手段であって、前記決定手段の決定結果を示唆する演出として予め定められた操作受付期間（第１停止ボタンとしての左の停止ボタン１２Ｌの操作から第２停止ボタンの操作まで）において前記複数の操作手段のうち特定の操作手段（停止ボタン１２Ｌ）が操作され演出変化条件（停止ボタン１２Ｌを３回操作）が成立することで該操作受付期間における演出の演出態様（発展度）を変化させる操作演出（当選報知演出の第２段階の演出）を実行する演出実行手段（ＣＰＵ１２１）とを備え、
前記演出実行手段は、
前記操作演出における演出態様を複数種類の態様のうちの何れの態様まで変化させるかを決定する態様決定手段（ＣＰＵ１２１、図６：発展度選択テーブル（ＲＯＭ１２３））を含み、
遊技の進行に関する第１終了条件が成立したときに前記操作演出を終了させ、前
記第１終了条件が成立する前であっても前記態様決定手段により決定された態様まで変化した以後において前記操作手段が操作されたことで第２演出終了条件（停止ボタン１２Ｌを３回、５回または７回操作）が成立したときに、前記態様決定手段により決定された態様のままで前記操作受付期間を終了させる
ことを特徴とする。
また、上記目的を達成するため、本発明にかかる遊技機は、
遊技の結果に応じて、遊技者にとって有利な状態（ビッグボーナス、レギュラーボーナス）を発生させる遊技機（スロットマシン１）であって、
所定の決定条件（スタートレバーの操作）が成立したときに、前記有利な状態を発生させるか否かを決定する決定手段（ＣＰＵ１１１（内部抽選））と、
遊技者により操作される操作手段（停止ボタン１２Ｌ）と、
所定の演出（当選報知演出）を演出手段（液晶表示器４）に実行させる手段であって、前記決定手段の決定結果を示唆する演出として予め定められた操作受付期間（第１停止ボタンとしての左の停止ボタン１２Ｌの操作から第２停止ボタンの操作まで）において前記操作手段が操作されることで演出変化条件（停止ボタン１２Ｌを３回操作）が成立する度に該操作受付期間における演出の演出態様（発展度）を変化させる操作演出（当選報知演出の第２段階の演出）を実行する演出実行手段（ＣＰＵ１２１）とを備え、
前記演出実行手段は、
前記操作演出における演出態様を複数種類の態様のうちの何れの態様まで変化させるかを決定する態様決定手段（ＣＰＵ１２１、図６：発展度選択テーブル（ＲＯＭ１２３））を含み、
前記操作受付期間が満了したときに、前記操作演出を終了させる（当選報知演出を第２段階から第３段階に移行させる）とともに、前記態様決定手段により決定された態様まで変化した以後において該操作受付期間が満了する前であっても前記操作手段が操作されたことで演出終了条件（停止ボタン１２Ｌを３回、５回または７回操作）が成立したときにも、前記操作演出を終了させる（当選報知演出を第２段階から第３段階に移行させる）
ことを特徴とする。
【手続補正６】
【補正対象書類名】明細書
【補正対象項目名】００１２
【補正方法】変更
【補正の内容】
【００１２】
上記遊技機では、演出終了条件が成立したときには、該演出終了条件が成立した時点で未だ操作受付期間が残っていたとしても、操作演出が終了させられるものとなる（つまり、演出終了条件が成立した時点で操作受付期間が強制的に打ち切られる）。操作演出が終了させられた場合には、操作手段を操作しても演出の演出態様が変化することはなくなるので、それ以上に遊技者が操作手段を操作する意味がなくなる。これにより、遊技者により操作手段が無駄に操作されることを抑止することが可能となる。
【手続補正７】
【補正対象書類名】明細書
【補正対象項目名】００１３
【補正方法】変更
【補正の内容】
【００１３】
なお、前記演出終了条件は、前記操作演出の演出態様が決定された態様まで変化した後、該操作受付期間においてさらに前記操作手段が一定程度に操作されることで成立するものとすることができる。或いは、前記演出終了条件は、前記操作受付期間における前記操作手段の操作で前記操作演出の演出態様が決定された態様まで変化するのと同時に成立するものとすることもできる。
【手続補正８】
【補正対象書類名】明細書
【補正対象項目名】００１４
【補正方法】変更
【補正の内容】
【００１４】
上記遊技機において、
前記演出終了条件は、前記決定手段の決定結果（ビッグボーナス（Ａ）〜（Ｃ）の当選、レギュラーボーナスの当選、ハズレ）に応じて異なる条件で成立するものとすることができる。
【手続補正９】
【補正対象書類名】明細書
【補正対象項目名】００１５
【補正方法】変更
【補正の内容】
【００１５】
或いは、前記演出実行手段は、前記操作演出の実行が終了した以後に前記決定手段の決定結果に応じた決定情報（ビッグボーナス（Ａ）〜（Ｃ）の当選、レギュラーボーナスの当選、ハズレ）を報知する決定情報報知手段をさらに含むものである場合には、
前記演出終了条件は、前記決定情報報知手段により報知される前記決定情報に応じて異なる条件で成立するものとすることもできる（図８：演出終了条件選択テーブル（ＲＯＭ１２３））。
【手続補正１０】
【補正対象書類名】明細書
【補正対象項目名】００１６
【補正方法】変更
【補正の内容】
【００１６】
この場合には、遊技者の操作受付期間における操作手段の操作に応じて操作演出の演出態様が変化する状況に応じて、有利な状態を発生させる旨が決定されていること（或いは、その旨を示す決定情報が報知されること）に対する遊技者の期待感を高めさせることができ、遊技の興趣を向上させることができる。
【手続補正１１】
【補正対象書類名】明細書
【補正対象項目名】００１７
【補正方法】変更
【補正の内容】
【００１７】
上記遊技機において、
前記操作受付期間は、開始から終了までの期間が予め定められた一定期間に定められたものであってもよい。この場合において、
前記演出実行手段は、前記操作演出を実行するか否かを決定する操作演出決定手段をさらに含み、該操作演出を実行する旨が決定された後に前記操作手段が最初に操作されたときから前記操作受付期間を開始させるものとすることができる（第１停止ボタンとして左の停止ボタン１２Ｌが操作されると、当選報知演出の第２段階に移行）。
【手続補正１２】
【補正対象書類名】明細書
【補正対象項目名】００１８
【補正方法】変更
【補正の内容】
【００１８】
ここで、前記操作演出決定手段により前記操作演出を実行する旨が決定された場合において、該実行を決定された操作演出を所定の期間の範囲内で実行可能とする場合には、
前記演出実行手段は、前記操作演出を実行する旨が決定された後の前記所定の期間で前記操作手段が最初に操作されたときから前記操作受付期間を開始させるものとすることができる。
【手続補正１３】
【補正対象書類名】明細書
【補正対象項目名】００１９
【補正方法】変更
【補正の内容】
【００１９】
この場合には、操作演出を実行する旨が決定されている場合において、操作演出が実行される操作受付期間を遊技者の意志に従って開始させることができるので、操作演出に対する遊技者の介入感がさらに強まり、遊技の興趣をさらに向上させることができる。
【手続補正１４】
【補正対象書類名】明細書
【補正対象項目名】００２１
【補正方法】変更
【補正の内容】
【００２１】
一方、ここで、上記遊技機に、前記演出手段において所定の演出を実行し、該所定の演出において前記決定手段の決定結果に応じた決定情報を報知するパチンコ遊技機を適用した場合には、
前記所定の演出が実行される期間のうちの所定の第１タイミングから第２タイミングまでの間に前記操作手段が最初に操作されたときに前記操作受付期間が開始されるものとすることができる。
この場合において、前記所定の演出が実行される期間のうちの前記第１タイミングと第２タイミングとの間に前記操作手段が操作されなかった場合には、前記操作受付期間が開始されない（つまり、前記操作演出が実行されない）ものとしてもよく、或いは、前記第２タイミングとなったときから前記操作受付期間を開始させる（前記第２タイミングまでに前記操作手段が操作されなくても前記操作演出が実行される）ものとしてもよい。
【手続補正１５】
【補正対象書類名】明細書
【補正対象項目名】００２３
【補正方法】変更
【補正の内容】
【００２３】
操作演出は、遊技者が操作手段を操作して演出変化条件が成立する度に演出態様が変化するものとなっているが、この場合においては、その演出態様の変化が、態様変化情報選択手段により選択された態様変化情報に従ってなされるものとなる。態様変化情報は、決定手段の決定結果に応じて選択されるものであるため、操作演出の演出態様の変化に応じて、遊技者は、決定手段の決定結果が遊技者にとって有利な状態を発生させるものとなっていることを期待できるものとなる。
【手続補正１６】
【補正対象書類名】明細書
【補正対象項目名】００２４
【補正方法】変更
【補正の内容】
【００２４】
上記遊技機において、
前記演出変化条件は、前記操作受付期間が開始されてからの経過期間の違いに応じて異なる確率で成立するものとすることができる（図７：演出発展決定テーブル（ＲＯＭ１２３））。
【手続補正１７】
【補正対象書類名】明細書
【補正対象項目名】００２５
【補正方法】変更
【補正の内容】
【００２５】
この場合には、操作演出における演出態様が変化する確率が操作受付期間が開始されてからの経過期間の違いに応じて異なるものとなる。これにより、操作演出における演出態様の変化にメリハリが生じ、演出の面白みを増大させることができる。
【手続補正１８】
【補正対象書類名】明細書
【補正対象項目名】００２６
【補正方法】変更
【補正の内容】
【００２６】
上記遊技機において、
前記演出変化条件は、前記演出実行手段により実行されている操作演出の現時点における演出態様の違いに応じて異なる確率で成立するものとすることができる（図７：演出発展決定テーブル（ＲＯＭ１２３））。
【手続補正１９】
【補正対象書類名】明細書
【補正対象項目名】０２００
【補正方法】変更
【補正の内容】
【０２００】
図９（ａ）の例では、第２段階の演出の実行状態の最大発展度が発展度５となる当選報知演出が選択され、図９（ｂ）の例では、最大発展度が発展度３となる当選報知演出が選択された場合を示している。また、図９（ｂ）の例では、特定条件の成立までの停止ボタン１２Ｌの操作回数として５回が選択されているものとする。さらに、図９（ａ）の例と図９（ｂ）の例の何れにおいても、第１停止ボタンとして左の停止ボタン１２Ｌが操作され、スタートレバー１１が操作されて１ゲームが開始されてから第１停止ボタン、第２停止ボタンが操作されるまでの経過時間は、同じであるものとする。
【手続補正２０】
【補正対象書類名】明細書
【補正対象項目名】０２４４
【補正方法】変更
【補正の内容】
【０２４４】
さらに、不利ＲＴに制御されることなくビッグボーナス、レギュラーボーナスまたは有利ＲＴ、若しくは通常遊技状態、特別ＲＴ、レアＲＴ１またはレアＲＴ２の間だけで遊技状態が制御されている間において有利ＲＴに制御された回数（有利ＲＴ連荘数）が５回を越え、純増総数も１０００枚を越えていると、ビッグボーナスまたはレギュラーボーナス、若しくは有利ＲＴにおいて再生出力される楽曲が、それぞれプレミアボーナス中楽曲、プレミア有利ＲＴ中楽曲に変更される。このように有利ＲＴ連荘数が５回を越えるとプレミアボーナス中楽曲、プレミア有利ＲＴ中楽曲が再生出力されることにより、有利ＲＴ連荘数が多くなった遊技者に非常な満足感を与えることができる。
【手続補正２１】
【補正対象書類名】明細書
【補正対象項目名】０３０８
【補正方法】変更
【補正の内容】
【０３０８】
上記の実施の形態では、設定値を変更することによって遊技制御基板１０１のＲＡＭ１１２が初期化されるが、リールモータ３ＭＬ、３ＭＣ、３ＭＲをそれぞれ構成するステッピングモータのステップ数をカウントするためのカウンタの値だけは初期化されないものとしていた。これにより、設定値の変更後においてリール３Ｌ、３Ｃ、３Ｒが滑らかに回転開始できずに設定値の変更がされていることが遊技者に察知されてしまうということを防ぐものとしていた。